(57)【要約】  ダクト用換気扇（１００）は、給気口が下面に設けられ、排気口が側面に設けられ、上方に突出する突起が天面に設けられたボディ（２）と、ボディ（２）の側面に着脱可能に取り付けられ、排気口を延長する筒状の吐出口部を備えたダクト接続部（８）とを有し、ダクト接続部（８）は、突起（２１）と係合する係合穴（２２）が設けられた上面部（３３）と、上面部（３３）から下方へ突出して係合穴（２２）に係合した突起（２１）を囲う囲い込み枠（２９，３０）を備える。
2019092892.tif 000002
【特許請求の範囲】
【請求項１】
給気口が下面に設けられ、排気口が側面に設けられ、上方へ突出する突起が天面に設けられた換気扇本体と、
前記換気扇本体の側面に着脱可能に取り付けられ、前記排気口を延長する筒状の吐出口部を備えたダクト接続部とを有し、
前記ダクト接続部は、前記突起と係合する係合穴が設けられた上面部と、前記上面部から下方へ突出して前記係合穴に係合した前記突起を囲う囲い込み枠とを備えることを特徴とするダクト用換気扇。
【請求項２】
前記囲い込み枠は、前記係合穴の前記換気扇本体と対面する側の縁部から先端に向けて傾斜する傾斜部を備えることを特徴とする請求項１に記載のダクト用換気扇。
【請求項３】
前記突起は、前記係合穴と嵌りあう箇所から先端に向けて細くなることを特徴とする請求項１または２に記載のダクト用換気扇。
【請求項４】
前記突起は、先端に面取り部が設けられていることを特徴とする請求項１から３のいずれか１項に記載のダクト用換気扇。
【請求項５】
前記囲い込み枠は、前記上面部と一体であることを特徴とする請求項１から４のいずれか１項に記載のダクト用換気扇。
【発明の詳細な説明】
【技術分野】
【０００１】
本発明は、ダクトを通じて外気を室内に給気する、あるいはダクトを通じて室内空気を室外に排気するダクト用換気扇に関するものである。
【背景技術】
【０００２】
まず、ダクト用換気扇の施工について説明する。住宅の施工では、天井内に換気用のダクトをあらかじめ配管した後、天井材等の敷設をし、その後天井に設けた換気扇取付用の開口にダクト用換気扇を設置することが多い。このため、ダクト用換気扇のダクト接続部と換気扇本体とを係脱自在にし、まず天井内に配管したダクトとダクト接続部とを接続し、ダクト接続部を天井に仮固定した後、換気扇本体をダクト接続部に沿って据付ける方法が多く採用されている。この据付方法を実現するため、換気扇本体の天板の両端部分に突出した突起を設け、ダクト接続部の上端に、この突起と係合する係合穴を設けた換気扇が開示されている（例えば、特許文献１）。【０００３】
また、ダクト接続部と換気扇本体の風漏れを防止するため、または止水性を高めるため、換気扇本体の突起がダクト接続部の係合穴に係合するより先に、換気扇本体下部側にてダクト接続部と換気扇本体とが係合する形状とし、施工性を改善した構成が開示されたものがある（例えば、特許文献２）。
【先行技術文献】
【特許文献】
【０００４】
【特許文献１】特開２００５−２７３５２９号公報
【特許文献２】特開２０１３−２４５８９７号公報
【発明の概要】
【発明が解決しようとする課題】
【０００５】
特許文献１に開示されたダクト用換気扇では、換気扇本体をダクト接続部に沿ってスライドさせながら天井の開口部に挿入した際、ダクト接続部の係合穴を目視することが困難という課題があった。また、ダクト接続部の係合穴を目視しにくいことから、ダクト接続部の係合穴と換気扇本体の突起とを係合できないという課題があった。また、ダクト接続部が換気扇本体に対し外側（ダクト側）に倒れると、ボディの天面の突起とダクト接続部の係合穴とが掛り合わず、固定できないといった問題があった。さらには、ダクト接続部が外れたまま換気扇本体を固定することで、換気扇本体とダクト接続部との間に隙間が生じ、空気等が漏れるなどの課題があった。【０００６】
特許文献２では、換気扇本体とダクト接続部の下縁部とで固定することで気密性及び止水性について改善されたものが開示されているが、取付構造が複雑になるなどの課題があった。また、換気扇本体隙間板を必要とするなど部品点数が多く、作業時の手間が増えるなどの課題があった。さらには、換気扇本体下部側にてダクト接続部と換気扇本体とが係合う形状を備えたことで、換気扇本体の風路が小さくなり送風性能に影響を与えたり、騒音が大きくなったりするといった課題もあった。【０００７】
本発明は、係る従来の問題点を解決するためになされたものであって、容易にかつ確実にダクト接続部を換気扇本体に固定することが可能で、さらには送風性能に影響を与えないダクト用換気扇を得ることである。
【課題を解決するための手段】
【０００８】
上記課題を解決するために本発明は、給気口が下面に設けられ、排気口が側面に設けられ、上方へ突出する突起が天面に設けられた換気扇本体と、換気扇本体の側面に着脱可能に取り付けられ、排気口を延長する筒状の吐出口部を備えたダクト接続部とを有する。ダクト接続部は、突起と係合する係合穴が設けられた上面部と、上面部から下方へ突出して係合穴に係合した突起を囲う囲い込み枠とを備える。
【発明の効果】
【０００９】
本発明によれば、換気扇施工時にダクト接続部に設けられた囲い込み枠に、換気扇本体天面の突起が確実に納まることが可能で、さらには突起と係合穴との位置合わせが容易で係合しやすくなるものである。また、換気扇本体施工時に、ダクト接続部が換気扇本体から外れるといった不具合、及びダクト接続部が換気扇本体から外れたために生じる風漏れといった不具合を改善できる。
【図面の簡単な説明】
【００１０】
【図１】本発明の実施の形態１に係るダクト用換気扇の取付け状態の概略構成を示す断面図
【図２】図１の換気扇本体の化粧グリルを省いた正面図
【図３】図２の正面図で端子カバーを開いた状態の正面図
【図４】図１のダクト用換気扇のダクト接続部と換気扇本体との施工状態を説明する断面図
【図５】施工時のダクト接続部と換気扇本体とに起こりうる状態を示す断面図（従来例）
【図６】実施の形態１に係るダクト接続部と換気扇本体との係合を示す断面図
【図７】ダクト接続部を換気扇本体側から見た斜視図
【図８】換気扇本体とダクト接続部との取り外しを説明した説明図
【発明を実施するための形態】
【００１１】
以下に、本発明の実施の形態に係るダクト用換気扇を図面に基づいて詳細に説明する。なお、この実施の形態によりこの発明が限定されるものではない。
【００１２】
実施の形態１．
図１から図８は、本発明の実施の形態１に係るダクト用換気扇を説明するものであって、図１は取付け状態の概略構成を示した断面図、図２は換気扇本体の化粧グリルを省いた正面図、図３は図２の正面図で端子カバーを開いた状態の正面図、図４はダクト接続部と換気扇本体との施工状態を説明する断面図、図５は施工時の従来のダクト接続部と換気扇本体とに起こりうる状態を示す断面図、図６は本実施の形態１を適用した場合のダクト接続部と換気扇本体との係合を示す断面図、図７はダクト接続部を換気扇本体側から見た斜視図、図８は換気扇本体とダクト接続部との取り外しを説明した説明図である。以下の説明における、上下方向は、ダクト用換気扇１００を天井面３２に設置した場合での上下方向であり、鉛直方向に沿う方向である。なお、ダクト用換気扇１００を壁面に設置する場合には、ダクト用換気扇１００の上下方向は、鉛直方向と一致しない。すなわち、ダクト用換気扇１００の上下方向は、鉛直方向に限定されない。
【００１３】
図１において、ダクト１４を用いて換気するダクト用換気扇１００は、換気扇本体を構成するボディ２と、ボディ２に取り付けたダクト接続部８とを有する。ボディ２は、下面に給気口２ｄが設けられ、側面に排気口２ｂが設けられ、天面に上方へ突出する突起２１が設けられている。ダクト接続部８は、排気口２ｂを延長する筒状の吐出口部１０を備える。吐出口部１０はダクト１４に接続される。ダクト１４は室外側まで連通されており、吐出口部１０をダクト１４に接続した状態でダクト用換気扇１００を運転することにより、室内の空気が換気される。
【００１４】
（ダクト用換気扇）
実施の形態１に係るダクト用換気扇について説明する。ボディ２は、一面を開口した箱型で、箱開口とは逆の面（天面側）に、換気する空気を流通させる換気駆動体である多翼式送風機１と、多翼式送風機１を収納するファンケーシング５とを有している。ファンケーシング５は、下面が開放されて吸込口６が形成されている。多翼式送風機１は、モータ３と、モータ３の駆動軸に差込結合されたファン４とから構成されている。
【００１５】
（ダクト用換気扇内部の説明）
ファンケーシング５には容易に開閉可能な端子カバー１１が備え付けられている。また、端子カバー１１内には外部電源電線を接続可能な電線接続装置２０を備えている。電線接続装置２０とモータ３とは、器内電線により電気的に接続されている。外部電源電線（図示しない）より印加された電気が電線接続装置２０を介し器内電線からモータ３に流れることで電気エネルギーをモータ３の回転運動に変換する。モータ３の回転運動は、駆動軸に連結したファン４に伝えることでファン４が回転し、空気の流れを形成する。ファンケーシング５により、吸込口６より吸われた空気は、多翼式送風機１によってファンケーシング５の内壁に沿って排気口２ｂに至る排気風路を形成している。
【００１６】
（化粧グリル）
ダクト用換気扇１００は、ファンケーシング５などの内部部品が見えると見栄えが悪いため、内部部品を見えないようにするための意匠部品である化粧グリル１２を備える。化粧グリル１２は、換気扇本体への取付用のスプリング１３を備えており、スプリング１３をファンケーシング５に備えられている化粧グリル取付用スプリング固定部７に引掛けることにより固定する。化粧グリル１２は、スプリング１３で取り付けられることで、天井面３２の厚さが多少変動しても容易に対応可能で、天井面３２との隙間などが生じないようしている。化粧グリル１２は、ダクト用換気扇１００の意匠性の向上の他にも多翼式送風機１への異物混入の防止の効果もある。
【００１７】
（ダクト接続部）
ダクト用換気扇１００は、ボディ２と、ボディ２の側面に取り付けられ、ボディ２の側面から直角方向に延びて排気口２ｂをダクト１４に連通する位置まで延長する吐出口部１０を備えたダクト接続部８とを有する。吐出口部１０は、径の異なる段状に形成している。これは、配管するダクト１４の径が異なっても対応できること、及びテーピングなどの作業性を考慮し段状にしている。ダクト１４は、屋外まで延びており、建物の屋外外壁に備えたフードなどと連結し、住宅内の空気を換気する換気風路を形成している。
【００１８】
（シャッター）
ダクト接続部８内には、風圧にて開閉するシャッター９が設けられている。シャッター９は、ダクト用換気扇１００の運転時には風圧で開き、停止時はシャッター９の自重でダクト接続部８の内部を閉鎖する。このようにシャッター９を設けることで、ダクト用換気扇１００の停止時に屋外からの外風が室内に侵入するのを防止することができる。本説明では風圧で開閉するシャッター９について説明したが、電気式で駆動するものも使用される場合がある。
【００１９】
（換気扇本体とダクト接続部の取り付け方）
ダクト用換気扇１００の設置について図４を用いて説明する。ダクト接続部８はあらかじめダクト１４と接続し、フランジ部８ａと天井面３２とを仮固定する。本説明では、ダクト用換気扇１００を天井面３２に固定する場合を示しているが、ダクト用換気扇１００を住宅の壁面に設置することも可能である。ダクト接続部８とボディ２とはスライドにより着脱可能としており、ボディ２のダクト接続部８との圧接面２７をダクト接続部８に沿わせて、天井面３２に設けた埋込穴２６にボディ２を挿入し、ボディ２を仮止めする。仮止め状態では、ボディ２とダクト接続部８とは、ボディ２の天面から上方へ突出する突起２１がダクト接続部８の上面部３３に設けた係合穴２２に係合する。また、ボディ２のフランジ部２ａの角穴２ｃに、ダクト接続部８のフランジ部８ａに備えた突起８ｂが挿入される。このようにしてボディ２とダクト接続部８との水平方向への移動が抑制され固定される。また、ボディ２の排気口２ｂ側の側面のダクト接続部固定突起２３がダクト接続部８の角溝２４に嵌ることにより、垂直方向への移動が抑制され固定される。このようにしてボディ２とダクト接続部８とは固定され、ボディ２の排気口２ｂとダクト接続部８の吐出口部１０とは連通し、換気する空気をダクト１４を介し排気することができる。
【００２０】
（換気扇本体とダクト接続部の取り外し方）
ボディ２とダクト接続部８とを取り外す場合は、図８に示すように、ボディ２の排気口２ｂ側の側面のダクト接続部取り外し用突起２５をボディ２の内側に引くことによりダクト接続部固定突起２３が角溝２４から外れ、垂直方向への移動が可能となりスライドして取り外しが可能となる。
【００２１】
（従来の問題点の説明）
前述したボディ２とダクト接続部８との取り付け方について、図５を用いて従来の問題点を説明する。ダクト接続部８を天井面３２（または壁面）の埋込穴２６に仮固定後、ボディ２を埋込穴２６に挿入する場合、図５（従来例）に示すようにダクト接続部８がダクト用換気扇１００に対し外側（ダクト１４側）に倒れると、ボディ２の天面の突起２１とダクト接続部８の係合穴２２とが係合せず、天面側で固定できないといった問題があった。特に、風漏れを防止するためボディ２のダクト接続部８との圧接面２７と連続した面の上部に備えた突起２８と、突起２８を囲い込むダクト接続部８に設けた囲い込み枠２９とのような係合では固定しづらいことがあった。
【００２２】
（本願発明の説明）
本実施の形態では、図６及び図７に示すように、ダクト接続部８の係合穴２２と連接しボディ２の突起２１側に向けて上面部３３から突出した囲い込み枠２９，３０を備えている。ダクト接続部８は、係合穴２２が形成された上面部３３及び囲い込み枠２９，３０を一体で形成しており、部品精度のばらつきを少なくしている。囲い込み枠２９，３０は、突起２１の前方（ダクト接続部８側）を囲い込み枠２９が囲い、突起２１の後方（ダクト用換気扇１００のモータ３側）を囲い込み枠３０が囲うことで、突起２１と係合穴２２との位置合わせを容易としている。また、囲い込み枠２９，３０は、突起２１側に突出して備えていることから、ボディ２の挿入時に早い段階で突起２１を枠内に迎え入れ導くことが可能で、施工時に目視できない部分ながら容易に位置合わせができる構造としている。
【００２３】
さらに、囲い込み枠３０の下部（突起２１側）は、枠の縁から係合穴２２に向けてなだらかに傾斜する傾斜部３０ｂを設けている。囲い込み枠３０に、係合穴２２のボディ２と対面する側の縁部２２ａから囲い込み枠３０の先端３０ａにかけて傾斜する傾斜部３０ｂを設けることにより、傾斜部３０ｂに沿って突起２１を係合穴２２に確実に導くことが可能としている。このようにすることで、ダクト接続部８がダクト１４側に倒れた場合でも、突起２１側に突出した囲い込み枠２９，３０と、さらに囲い込み枠３０に備えた傾斜部３０ｂとでボディ２の挿入時の早い段階で突起２１を迎えることが可能で、突起２１を確実に導くことができ、突起２１と係合穴２２とが容易に係合することができる。
【００２４】
突起２１は、係合穴２２と嵌りあう箇所から先端２１ａに向けて徐々に細くなるよう傾斜して形成している。このようにすることで、ダクト接続部８が多少傾いても、突起２１の先端２１ａと囲い込み枠２９，３０との間に余裕があることから、突起２１は容易に囲い込み枠２９，３０の間に入り、係合穴２２に導かれるようになっている。また、さらに突起２１の先端２１ａは、面取りを施して面取り部３１を設けている。面取り部３１を設けることで、さらに突起２１は囲い込み枠３０に設けた傾斜部３０ｂと沿いやすくなり、より係合しやすい構造としている。
【００２５】
上記のように、ダクト用換気扇１００の施工時にダクト接続部８に設けられた囲い込み枠２９，３０に、ボディ２の天面の突起２１が確実に納まることが可能で、さらには突起２１と係合穴２２との位置合わせが容易で係合しやすくなるものである。また、ダクト接続部８がボディ２から外れるといった不具合、及びダクト接続部８が換気扇本体から外れたために生じる風漏れといった不具合を改善できる。
【産業上の利用可能性】
【００２６】
説明では、本発明をダクト用換気扇に適用した場合について述べたが、その他の送風機または空気調和機などにおいて、送風機本体とダクト接続部とを分割して施工するものに適している。
【符号の説明】
【００２７】
１  多翼式送風機、２  ボディ、２ａ，８ａ  フランジ部、２ｂ  排気口、２ｃ  角穴、２ｄ  給気口、３  モータ、４  ファン、５  ファンケーシング、６  吸込口、７  化粧グリル取付用スプリング固定部、８  ダクト接続部、８ｂ，２１，２８  突起、９  シャッター、１０  吐出口部、１１  端子カバー、１２  化粧グリル、１３  スプリング、１４  ダクト、２０  電線接続装置、２１ａ，３０ａ  先端、２２  係合穴、２２ａ  縁部、２３  ダクト接続部固定突起、２４  角溝、２５  ダクト接続部取り外し用突起、２６  埋込穴、２７  圧接面、２９  囲い込み枠（前方側）、３０  囲い込み枠（後方側）、３０ｂ  傾斜部、３１  面取り部、３２  天井面、３３  上面部、１００  ダクト用換気扇。
【図１】
2019092892.tif 000003
【図２】
2019092892.tif 000004
【図３】
2019092892.tif 000005
【図４】
2019092892.tif 000006
【図５】
2019092892.tif 000007
【図６】
2019092892.tif 000008
【図７】
2019092892.tif 000009
【図８】
2019092892.tif 000010
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
給気口が下面に設けられ、排気口が側面に設けられ、上方へ突出する第１の突起が天面に設けられた換気扇本体と、
前記換気扇本体の側面に着脱可能に取り付けられ、前記排気口を延長する筒状の吐出口部を備えたダクト接続部とを有し、
前記換気扇本体は、前記ダクト接続部が接する圧接面と、前記圧接面から上方へ突出する第２の突起とを有し、
前記ダクト接続部は、前記第１の突起と係合する係合穴及び前記第２の突起が係合する凹部が設けられた上面部と、前記上面部から下方へ突出して前記係合穴に係合した前記第１の突起を囲うとともに、前記係合穴と前記凹部とを隔てる囲い込み枠とを有し、
前記換気扇本体の天面から前記第１の突起の先端までの距離は、前記換気扇本体の天面から前記第２の突起の先端までの距離よりも長く、かつ、前記換気扇本体の天面から前記第１の突起の先端までの距離は、前記上面部から前記囲い込み枠の先端までの距離よりも長いことを特徴とするダクト用換気扇。
【請求項２】
前記囲い込み枠は、前記係合穴の前記換気扇本体と対面する側の縁部から先端に向けて傾斜する傾斜部を備えることを特徴とする請求項１に記載のダクト用換気扇。
【請求項３】
前記第１の突起は、前記係合穴と嵌りあう箇所から先端に向けて細くなることを特徴とする請求項１または２に記載のダクト用換気扇。
【請求項４】
前記第１の突起は、先端に面取り部が設けられていることを特徴とする請求項１から３のいずれか１項に記載のダクト用換気扇。
【請求項５】
前記囲い込み枠は、前記上面部と一体であることを特徴とする請求項１から４のいずれか１項に記載のダクト用換気扇。
【国際調査報告】
2019092892.tif 000011
2019092892.tif 000012
2019092892.tif 000013